【手続補正書】
【提出日】令和2年12月9日(2020.12.9)
【手続補正１】
【補正対象書類名】特許請求の範囲
【補正対象項目名】全文
【補正方法】変更
【補正の内容】
【特許請求の範囲】
【請求項１】
磁気共鳴（ＭＲ）撮像デバイス用のゲーティングデバイスであって、
生理学的モニタと、
電子プロセッサと、
ナビゲータパルスシーケンス、同期ＭＲ撮像シーケンス及び同期ＭＲ撮像方法を行うために前記電子プロセッサによって読み取り可能及び実行可能な命令が記憶された非一時的記憶媒体と、
を含み、
前記同期ＭＲ撮像方法は、
時間の関数として画像空間内にナビゲータデータを生成するように、前記ナビゲータパルスシーケンスを繰り返し実行するように前記ＭＲ撮像デバイスを動作させるステップと、
前記ナビゲータデータから時間の関数としての解剖学的特徴の動き信号を抽出するステップと、
前記ナビゲータパルスシーケンスを繰り返し実行するように前記ＭＲ撮像デバイスを動作させるステップと同時に、前記生理学的モニタによって生成される時間の関数としての同時生理学的信号を取得するステップと、
前記解剖学的特徴の前記動き信号と前記同時生理学的信号との間の位相シフトに対応する時間を計算することにより、時間の関数としての前記解剖学的特徴の前記動き信号と、時間の関数としての前記同時生理学的信号とを比較することによって、ゲーティング時間オフセットを決定するステップと、
前記ゲーティング時間オフセットによって修正された、前記生理学的モニタによって検出されたゲーティングイベントの発生時間として定義されるゲーティング時間を使用して、前記同期ＭＲ撮像シーケンスを行うように前記ＭＲ撮像デバイスを動作させるステップと、
を含む、ゲーティングデバイス。
【請求項２】
ディスプレイと、
ユーザ入力デバイスと、
を更に含み、
前記同期ＭＲ撮像方法は更に、
前記解剖学的特徴の前記動き信号及び前記同時生理学的信号を、共通の時間軸に対してプロットするように前記ディスプレイを動作させるステップと、
前記ユーザ入力デバイスを介して、前記同時生理学的信号のプロット上のゲーティングイベントを示すユーザ入力を受信するステップと、
前記ユーザ入力デバイスを介して、前記解剖学的特徴の前記動き信号のプロット上のＭＲ撮像データ取得の所望の開始を示すユーザ入力を受信するステップと、
示された前記ゲーティングイベントとＭＲ撮像データ取得の示された前記所望の開始との間の時間差に基づいて、前記ゲーティング時間オフセットを計算するステップと、
を含む、請求項１に記載のゲーティングデバイス。
【請求項３】
前記同期ＭＲ撮像方法は、ＭＲ撮像データ取得が前記ゲーティング時間においてトリガされるプロスペクティブゲーティングを使用する、請求項１又は２に記載のゲーティングデバイス。
【請求項４】
前記同期ＭＲ撮像方法は、前記生理学的モニタを用いて検出された前記ゲーティングイベントを記録する間にＭＲ撮像データが連続的に取得され、前記ゲーティング時間オフセットによって修正された記録済み前記ゲーティングイベントを用いて遡及的にゲーティングされるレトロスペクティブゲーティングを使用する、請求項１又は２に記載のゲーティングデバイス。
【請求項５】
前記生理学的モニタは、呼吸モニタを含み、前記同期ＭＲ撮像方法は、呼吸同期ＭＲ撮像方法である、請求項１から４の何れか一項に記載のゲーティングデバイス。
【請求項６】
前記抽出するステップは、前記ナビゲータデータから時間の関数として横隔膜境界の動き信号を抽出するステップを含む、請求項５に記載のゲーティングデバイス。
【請求項７】
前記生理学的モニタは、心電計（ＥＣＧ）を含み、前記同期ＭＲ撮像方法は、ＥＣＧ同期ＭＲ撮像方法である、請求項１から４の何れか一項に記載のゲーティングデバイス。
【請求項８】
前記ナビゲータパルスシーケンスは、ペンシルビームナビゲータであり、ペンシルビームナビゲータパルスシーケンスを繰り返し実行するように前記ＭＲ撮像デバイスを動作させることによって、画像空間内に１次元（１Ｄ）ナビゲータデータセットの時系列が生成される、請求項１から７の何れか一項に記載のゲーティングデバイス。
【請求項９】
前記ナビゲータパルスシーケンスは、２次元（２Ｄ）ナビゲータパルスシーケンス又は３次元（３Ｄ）ナビゲータパルスシーケンスであり、前記２Ｄナビゲータパルスシーケンス又は前記３Ｄナビゲータパルスシーケンスを繰り返し実行するように前記ＭＲ撮像デバイスを動作させることによって、２Ｄ画像又は３Ｄ画像の時系列が生成される、請求項１から７の何れか一項に記載のゲーティングデバイス。
【請求項１０】
ナビゲータパルスシーケンスと、
同期磁気共鳴（ＭＲ）撮像シーケンスと、
同期ＭＲ撮像方法を行うように電子プロセッサによって読み取り可能及び実行可能である命令と、
を格納する非一時的記憶媒体であって、
前記同期ＭＲ撮像方法は、
時間の関数として画像空間内にナビゲータデータを生成するように、前記ナビゲータパルスシーケンスを繰り返し実行するようにＭＲ撮像デバイスを動作させるステップと、
前記ナビゲータデータから時間の関数としての解剖学的特徴の動き信号を抽出するステップと、
前記ナビゲータパルスシーケンスを繰り返し実行するように前記ＭＲ撮像デバイスを動作させるステップと同時に、呼吸モニタ又は心臓モニタによって生成される時間の関数としての同時呼吸周期信号又は同時心臓周期信号を取得するステップと、
時間の関数としての前記解剖学的特徴の前記動き信号と、時間の関数としての前記同時呼吸周期信号又は前記同時心臓周期信号とを比較し、前記解剖学的特徴の前記動き信号と、同時生理学的信号との間の位相シフトに対応する時間を計算することによって、ゲーティング時間オフセットを決定するステップと、
前記ゲーティング時間オフセットによって修正された、前記呼吸モニタ又は前記心臓モニタによって検出されたゲーティングイベントの発生時間として定義されるゲーティング時間を使用して、前記同期ＭＲ撮像シーケンスを行うように前記ＭＲ撮像デバイスを動作させるステップと、
を含む、非一時的記憶媒体。
【請求項１１】
前記同期ＭＲ撮像方法は更に、
前記解剖学的特徴の前記動き信号と前記同時呼吸周期信号又は前記同時心臓周期信号とを、共通の時間軸に対してプロットするようにディスプレイを動作させるステップを含む、請求項１０に記載の非一時的記憶媒体。
【請求項１２】
前記同期ＭＲ撮像方法は更に、
前記同時呼吸周期信号又は前記同時心臓周期信号内のゲーティングイベントの特定を受信するか、又は、前記ゲーティングイベントを自動的に特定するステップと、
前記解剖学的特徴の前記動き信号内のＭＲ撮像データ取得の所望の開始の特定を受信するか、又は、前記所望の開始を自動的に特定するステップと、
示された前記ゲーティングイベントとＭＲ撮像データ取得の示された前記所望の開始との間の時間差に基づいて前記ゲーティング時間オフセットを計算するステップと、
を含む、請求項１０又は１１に記載の非一時的記憶媒体。
【請求項１３】
前記同期ＭＲ撮像方法は、
ＭＲ撮像データ取得が前記ゲーティング時間においてトリガされるプロスペクティブゲーティングと、
前記呼吸モニタ又は前記心臓モニタを用いて検出された前記ゲーティングイベントを記録する間にＭＲ撮像データ取得が連続的に取得され、前記ゲーティング時間オフセットによって修正された記録済み前記ゲーティングイベントを用いて遡及的にゲーティングされるレトロスペクティブゲーティングと、
の一方を使用する、請求項１０から１２の何れか一項に記載の非一時的記憶媒体。
【請求項１４】
前記抽出するステップは、前記ナビゲータデータから時間の関数として臓器境界の動き信号を抽出するステップを含む、請求項１０から１３の何れか一項に記載の非一時的記憶媒体。
【請求項１５】
前記ナビゲータパルスシーケンスは、ペンシルビームナビゲータであり、ペンシルビームナビゲータパルスシーケンスを繰り返し実行するように前記ＭＲ撮像デバイスを動作させることによって、画像空間内に１次元（１Ｄ）ナビゲータデータセットの時系列が生成されるか、
前記ナビゲータパルスシーケンスは、２次元（２Ｄ）ナビゲータパルスシーケンスであり、前記２Ｄナビゲータパルスシーケンスを繰り返し実行するように前記ＭＲ撮像デバイスを動作させることによって、２Ｄ画像の時系列が生成されるか、又は、
前記ナビゲータパルスシーケンスは、３次元（３Ｄ）ナビゲータパルスシーケンスであり、前記３Ｄナビゲータパルスシーケンスを繰り返し実行するように前記ＭＲ撮像デバイスを動作させることによって、３Ｄ画像の時系列が生成される、請求項１０から１４の何れか一項に記載の非一時的記憶媒体。